(57)【要約】【課題】メモリーカードを装着するメモリーカード用コネクタにおいて、装着されているメモリーカードをイジェクトした際に、メモリーカードの飛出しを効果的に防止する。【解決手段】メモリーカードＭＣを挿入されて保持し、メモリーカードＭＣが備えるコンタクト部ＭＣ２と接続することで電気的な接続が可能であり、挿入されるメモリーカードＭＣを挿入途中位置で仮保持可能なハーフロック機構６を、メモリーカードＭＣの挿脱側ではない側面ＭＣ４と対向するコネクタ側面３ａに具備するメモリーカード用コネクタ１において、  ハーフロック機構６と対向するコネクタ側面３ｂに、挿入されたメモリーカードＭＣをハーフロック機構６側へ付勢可能なカード押えばね７を設け、該ばね７がメモリーカードＭＣの取出しに際し飛出しを防止する。【選択図】  図１
2007141470.tif 000002
【特許請求の範囲】
【請求項１】
表裏面と側面とからなる板状体形状のメモリーカードを挿入されて保持し、メモリーカードが備えるコンタクトと接続することで電気的な接続が可能であり、挿入されるメモリーカードを仮保持可能なハーフロック機構を、メモリーカードを挿脱する方向と平行な側面に具備するメモリーカード用コネクタにおいて、
ハーフロック機構が設けられた側面と対向するコネクタ側面に、挿入されたメモリーカードをハーフロック機構側へ付勢可能なカード押えばねを設けることを特徴とするメモリーカード用コネクタ。
【発明の詳細な説明】
【技術分野】
【０００１】
この発明は、メモリーカード用コネクタにかかる。詳細には、挿入されたメモリーカードをイジェクト機構等によって取出す際に、メモリーカードが飛び出してしまうことを防止可能なメモリーカード用コネクタに関する。
【背景技術】
【０００２】
ＭＰ３オーディオ機器やデジタルカメラ等の電子機器の発達に伴い、これら電子機器に記録媒体を用いることが可能となった。そして、小型化が進むこれら電子機器に合わせメモリーカード等の記録媒体も小型化され、メモリースティックカードやＳＤカード等の各種メモリーカードが利用されるようになった。
これに伴い、メモリーカードを利用する携帯電話等の電子機器では、該メモリーカードを確実に装着できると共に安定した電気的な接続状態を得られるように該メモリーカードを支持できるメモリーカード用コネクタが開発されている。
例えば、以下のようなメモリーカード用コネクタが有った。
【０００３】
以下に、従来のメモリーカード用コネクタを図６および図９に基づき説明する。
ＭＣはメモリーカードであり、メモリーカードＭＣは四方の側面と表裏面とからなる薄板状であり、表面には複数の接触部であるコンタクト部が露呈されており、メモリーカード用コネクタと電気的に接触してデータ交換可能である。
１００は、従来のメモリカード用コネクタである。メモリーカード用コネクタ１００は、メモリースティックカード用のコネクタであり、メモリーカードＭＣの形状に合わせた幅を持ったコンタクト面１０１を有する。また、メモリーカードＭＣのコンタクト部と対向するコンタクト面１０１表面には、挿入されたメモリーカードＭＣのコンタクト部と接続可能な複数の接触片１０２を設けてなる。接触片１０２は、表面から裏面側へ突出して設けると共に、表面側に押圧されるとばね力により抗力を発生するように付勢されている。
【０００４】
また、コンタクト面１０１に挿入されたメモリーカードＭＣを挟むように、コンタクト面１０１の対向する両側部からは、メモリーカードＭＣの厚さをもった立設壁１０３を設け、更に立設壁１０３から夫々対向する立設壁側へ突出したカード押え部１０４を設ける。このように立設壁１０３およびカード押え部１０４を設けることで、図７乃至図９に表すように、メモリーカードＭＣはコンタクト部を接触片１０２に位置させてメモリーカード用コネクタ１００に装着することが可能となる。
更に又、コンタクト表面１０１の立設壁１０３側には、それぞれ片持状のカード押えばね１０５を設ける。カード押えばね１０５は、メモリーカード用コネクタ１００の挿入口１０６側が支点となるようにコンタクト面１０１を構成している金属板をコ字状に切欠して構成し、カード押え部１０４側となる自由端をメモリーカードＭＣ側へ突出させることで、メモリーカードＭＣが挿入された際にメモリーカードＭＣの表面をカード押え部１０４側へ押圧可能に形成する。
１０７は、イジェクト機構である。イジェクト機構１０７は、接触片１０２とメモリーカードＭＣのコンタクトとが接触し電気的に接続されている挿入状態のメモリーカードＭＣを排出する機構である。イジェクト機構１０７は、詳細は説明しないが、操作部（図示せず）を操作することでメモリーカードＭＣの挿入先端側を排出方向へ押圧する機構を具備している。そして、イジェクト機構１０７の操作部（図示せず）を操作して排出させると、メモリーカードＭＣは接触片１０２とメモリーカードＭＣのコンタクトとの電気的な接続を解除して排出方向へ移動される。
メモリーカードＭＣが排出される際、メモリーカードＭＣ表面はカード押えばね１０５によって押えられているので、排出方向へ勢いよく移動されるメモリーカードＭＣは接触片１０２のばね力による表面に於ける摩擦により、メモリーカード用コネクタ１００からの飛出しを防止されている。
又、メモリーカード用コネクタ１００には、前記メモリーカードＭＣの飛出しを防止するため、挿入されるメモリーカードＭＣをその途中位置で仮保持可能なカードロック機構１０８を有するものがあった。
即ち、ハーフロック機構１０８は、先端側がメモリーカード用コネクタ１００の内側へ突出する係止突起１１０を形成し、基端部１１１がメモリーカード用コネクタ１００に固定され、係止突起１１０側が揺動することで挿入されたメモリーカードＭＣ側へ入出可能であり、係止突起１１０と対向しているメモリーカード用コネクタ１００側面を、該側面を構成している金属板をコ字状に切欠してハーフロックばね１０９を構成し、係止突起１１０を常にメモリーカード用コネクタ１００内方へ付勢している。
このようにハーフロック機構１０８を有することで、挿入されるメモリーカードＭＣの挿入側ではない側面に溝部ＭＣ３を設けたメモリーカードＭＣでは、ハーフロック機構１０８の係止突起１１０が、メモリーカードＭＣ挿入時或は排出時に溝部ＭＣ３とハーフロックばね１０９の押圧力によって係止され、ハーフロック状態を維持可能である。
【発明の開示】
【発明が解決しようとする課題】
【０００５】
上記のようにメモリーカード用コネクタ１００へ装着されたメモリーカードＭＣを排出する際に、メモリーカード用コネクタ１００とメモリーカード用コネクタ１００とは、カード押えばね１０５とメモリーカードＭＣ表面との摩擦により、メモリーカードＭＣの飛出しを抑制されている。
しかしながら、メモリーカードＭＣの表面には凹凸がないものが一般的であり、イジェクト機構１０７がメモリーカードＭＣを排出方向へ移動させる力が大きいと、メモリーカードＭＣは勢いが余り、メモリーカード用コネクタ１００から必要以上に飛出してしまったり、場合によってはメモリーカード用コネクタ１００から脱落してしまうという状態となってしまうという問題点を有した。
【０００６】
この問題点を従来例によって解決するためには、メモリーカード用コネクタ１００のカード押えばね１０５のばね力を大きくすることが考えられるが、これにはメモリーカード用コネクタ１００のコンタクト面１０１を構成している金属板の板厚を大きくすることで対応可能であるが、板厚を増やすと金属板のコストが増大してしまうという問題点が更に発生してしまう。又、コンタクト面１０１を同じ板厚で更にばね力の強い材料によって構成することも考えられるが、この場合には、材料自体が特殊となり、やはり材料コストが増大してしまうという問題点を有した。
【０００７】
又、ハーフロック機構１０８を備えたメモリーカード用コネクタ１００では、メモリーカードＭＣ取出し時には、ハーフロック機構１０８によってメモリーカードＭＣの溝部ＭＣ３がハーフロックされた状態となることで、飛出しを防止できるが、ハーフロック機構１０８によるハーフロック状態は、完全に係止するのではなくメモリーカードＭＣの抜き差しを容易にできなければならず、片持ち状態に設けたハーフロックばね１０９によって緩く係止保持された状態を取るので、イジェクト機構による飛出しがたまたま強かった場合などには、ハーフロック機構１０８によって飛出しを防止しきれない場合が生じてしまうという問題点を有した。
【０００８】
この発明は、上記問題点に鑑み、メモリーカード用コネクタ１００の材料等を変更することなく簡単な構造によって、イジェクトした際にメモリーカードの飛出しを抑止可能なメモリーカード用コネクタを提供することを課題とする。
【課題を解決するための手段】
【０００９】
そのためこの発明では、メモリーカード用コネクタの構造を改良し、ハーフロック機構によるメモリーカードの仮保持を確実なものとさせるため、
【００１０】
表裏面と側面とからなる板状体形状のメモリーカードを挿入されて保持し、メモリーカードが備えるコンタクトと接続することで電気的な接続が可能であり、挿入されるメモリーカードを仮保持可能なハーフロック機構を、メモリーカードを挿脱する方向と平行な側面に具備するメモリーカード用コネクタにおいて、
ハーフロック機構が設けられた側面と対向するコネクタ側面に、挿入されたメモリーカードをハーフロック機構側へ付勢可能なカード押えばねを設けることを特徴とするメモリーカード用コネクタ、
【００１１】
を提供する。従って、メモリーカード用コネクタは、挿入されているメモリーカードを取出す際に、イジェクト機構等によって勢いよく飛び出そうとしたメモリーカードの挿脱側ではない側面を、カード押えばねによって対向側へ押圧している。従ってイジェクト機構等による取出しの際に、カード押えばねによってハーフロック機構側へ押圧されているメモリーカードは、ハーフロック機構とメモリーカードに設けられている溝部とが係止し、メモリーカードがハーフロック位置で仮保持される。
【発明の効果】
【００１２】
この発明によるメモリーカード用コネクタでは、ハーフロック機構を設けているコネクタ内側部と対向する内側部に、挿入されるメモリーカードをハーフロック機構側へ押圧可能なカード押えばねを設けて構成するので、メモリーカードを取外す際にイジェクト機構が加えた力によってメモリーカードが該コネクタから飛び出してしまうことを防止可能となる。
【発明を実施するための最良の形態】
【００１３】
挿入されるメモリーカードＭＣのカード形状に挿入口を設けたメモリーカード用コネクタ１は、挿入されたメモリーカードＭＣのコンタクト部ＭＣ２と対向する表面位置に、該メモリーカードＭＣのコンタクト部ＭＣ２と接触して電気的に接続する接触片であるコンタクト４を設ける。コンタクト４は、メモリーカード用コネクタ１の内方へ突出し適宜接触圧を付与できるばね力を有して設置させる。
【００１４】
メモリーカード用コネクタ１に挿入されるメモリーカードＭＣの挿脱側ではない側面、即ち、メモリーカード用コネクタ１の左右何れかの側面の、メモリーカードＭＣ挿入途中位置においてメモリーカードＭＣの挿脱側ではない側面に設けられている溝部ＭＣ３と対向する適宜位置に、ハーフロック機構６を設ける。ハーフロック機構６は、該コネクタ１内方へ突出する係止突起６２を有し、メモリーカードＭＣの溝部ＭＣ３に進退できるように揺動可能である。又、該コネクタ１のハーフロック機構６側の側面には、係止突起６２を該コネクタ１の内方へ付勢可能なばね力を有するハーフロックばね６３を設ける。
【００１５】
そして、ハーフロック機構６とメモリーカードＭＣを介して対向するコネクタ１の側面には、メモリーカードＭＣをハーフロック機構６側へ押圧するばね力をもつカード押えばね７を設ける。カード押えばね７は、片持ち支持状に設ける板ばねであり、メモリーカードＭＣ挿入口側を基端部として挿入奥側が該コネクタ１内方へ位置する自由端となるように設ける。
【実施例１】
【００１６】
以下に、この発明の実施例を図面に基づき説明する。図１はこの発明の実施例を表す斜視説明図であり、図２は同説明図で（ａ）は平面説明図であり（ｂ）は正面説明図であり（ｃ）は背面説明図であり（ｄ）は左側面説明図であり（ｅ）は右側面説明図であり、図３は図２（ａ）のＡ−Ａ線断面説明図であり、図４は図２（ｂ）のＢ−Ｂ線断面説明図であり、図５は図２（ａ）のＣ−Ｃ線断面説明図であり、図６はメモリーカードを表す斜視説明図である。
【００１７】
１は、この発明の実施例であるメモリーカード用コネクタである。メモリーカード用コネクタ１は、挿入されたメモリーカードＭＣと電気的な接続を可能とするコネクタであり、図１に表すように、挿入されたメモリーカードＭＣを保持するハウジング２と、ハウジング２の両端から延設されてやはりメモリーカードＭＣを保持するカード保持部３と、ハウジング２に挿入されたメモリーカードＭＣと接触することで電気的な接続を成す接触片であるコンタクト４とからなる。
【００１８】
ここで、メモリーカード用コネクタ１に挿入して用いるメモリーカードＭＣについて説明する。
メモリーカードＭＣは、電気的な接続を行い他の機器等と情報交換あるいは信号授受を行うためのコンタクト部ＭＣ２がカード表面に露出されているカードであり、メモリースティックカード等である。そこで、図１に基づいてメモリーカードＭＣの構造を説明する。
メモリーカードＭＣは、カード表面ＭＣ１の一方端にコンタクト部ＭＣ２が露出した状態に並設してなる。このコンタクト部ＭＣ２は、メモリーカード用コネクタ１への挿入側端部に該端部と平行に複数並設され、この実施例においては１０カ所に設けられるカードである。そして、該カードコンタクト部ＭＣ２は、カード表面ＭＣ１から凹状にコンタクト表面が位置されている。又、カード表面ＭＣ１の端部のうち、メモリーカード用コネクタ１への挿入時にハーフロック機構６と対向する端部には、ハーフロック側側面ＭＣ４まで連続する半円状の溝部ＭＣ３が形成される。この溝部ＭＣ３は、メモリーカード用コネクタ１に設けるハーフロック機構６が係止される溝であり、ハーフロック機構６と係止する位置でメモリーカードＭＣが挿入途中で仮保持状態となる。又、メモリーカードＭＣのハーフロック側側面ＭＣ４と対向する側面は押圧側側面ＭＣ５であり、カード押えばね７によって押圧される側の側面である。
【００１９】
次にメモリーカード用コネクタ１の詳細を説明する。
メモリーカード用コネクタ１は、平面視略長方形状を成すハウジング２が本体を形成する。ハウジング２は、薄板状の金属板材からなり、ハウジング２の両サイドは、カードを保持可能なカード保持部３をそれぞれ対向させて延設するように折曲して形成する。従ってメモリーカードＭＣの挿脱側ではない側面と対向するコ字状に折曲したカード保持部３が、メモリーカード用コネクタ１の側面を構成する。カード保持部３は、コ字状の保持溝３１を有し、該溝３１を相互に対向させてカード保持部３ａ及びカード保持部３ｂとして設ける。カード保持部３のコ字状の保持溝３１が挿脱されるメモリーカードＭＣをガイドする。従って、メモリーカード用コネクタ１は、ハウジング２の両サイドからカード保持部３が腕状に突出した形状からなり、図１等に表すようにメモリーカードＭＣを保持溝３１に沿って挿入されることで保持可能である。
【００２０】
そして、ハウジング２の他の一方の端部側には、対向して設ける保持部３へメモリーカードＭＣを挿入可能なカード挿入口２３を形成する。又、ハウジング２のカード挿入側口２３と対向する側には、メモリーカードＭＣのコンタクト部ＭＣ２と接触して電気的に接続するコンタクト４を並設する。そして、ハウジング２の裏面は挿入されたメモリーカードＭＣのカード表面ＭＣ１と対向される。
【００２１】
コンタクト４は、ハウジング２のハウジング裏面２２側に設置される。コンタクト４の設置には、ハウジング２本体が金属板であるので絶縁材からなるコンタクト固定部２４によってメモリーカードＭＣのコンタクト部ＭＣ２に対応する位置へ固定する。そして、コンタクト４の基端部４１は、メモリーカード用コネクタ１を実装する電子回路基板等に電気的に固定できるようメモリーカード用コネクタ１の外部へ位置する。又、コンタクト４の基端部４１と対向する端部は接点部４２を形成し、メモリーカード用コネクタ１の裏面側に突出するように位置される。
【００２２】
カード保持部３の一方、即ちこの実施例では図２（ａ）中の右側に表すカード保持部３ａには、イジェクト機構５を設ける。イジェクト機構５は、メモリーカード用コネクタ１に装着されたメモリーカードＭＣを取出す際に、操作部を操作することでメモリーカードＭＣの挿入側側面ＭＣ６をカード挿入口２３側へ押出す機構であり、一般的に用いられている機構なので詳説は略する。
更にカード保持部３ａにはハーフロック機構６を設ける。ハーフロック機構６は、メモリーカード用コネクタ１に挿入されるメモリーカードＭＣのコンタクト部ＭＣ２がコンタクト４と接続される前の途中位置に於て、メモリーカードＭＣの溝部ＭＣ３と係止することで仮保持状態とするものである。ハーフロック機構６は、一端である基端部６１をカード保持部３ａに係止され、他端である揺動端が係止突起６２を形成してメモリーカードＭＣ側へ進退するよう揺動可能に形成する。そして、係止突起６２側が基端部６１よりカード挿入口２３側へ位置されて設置され、係止突起６２は挿入されるメモリーカードＭＣ側へ突出して設ける。係止突起６２は、カード挿入口２３側（挿入手前側）が、緩やかな傾斜面を形成し、コンタクト４側（挿入奥側）が挿脱方向と略直角に形成する。係止突起６２の形状をこのようにすることで、メモリーカードＭＣ挿入時には、係止突起６２の緩やかな傾斜面に沿ってメモリーカードＭＣが容易に挿入でき、メモリーカードＭＣ引抜き時には、挿脱方向と略直角に形成する面がメモリーカードＭＣの溝部ＭＣ３と係止し、ハーフロック状態（仮保持状態）で容易に停止可能となる。
【００２３】
又、ハーフロック機構６の係止突起６２と対向するカード保持部３ａは、図２（ｅ）に表すように、ハーフロックばね６３を設ける。ハーフロックばね６３は、係止突起６２を該コネクタ１の内方、即ち挿入されたメモリーカードＭＣ側へ付勢可能なばね力を有する。この実施例では、ハーフロックばね６３はハウジング２に延設して設けるカード保持部３ａを形成している金属板にコ字状のスリット６４を入れスリット６４によって分離された金属板によってハーフロックばね６３を構成する。従ってハーフロックばね６３は、片持ちばねであり、片持ちばねのばね力により係止突起６２をメモリーカードＭＣ側へ付勢する。そして、ハーフロック機構６の係止突起６２は、仮保持状態を希望する中途位置においてメモリーカードＭＣの溝部ＭＣ３と対向するカード保持部３ａ位置で、メモリーカードの溝部ＭＣ３側へ突出した状態となるため、所望の位置で仮保持状態を保つことができる。勿論ハーフロックばね６３は、ハウジング２を利用するのではなく、別途板ばね等を設置してもよい。
【００２４】
７は、カード押えばねである。カード押えばね７は、図２乃至図５に表すように、カード保持部３ａと対向するカード保持部３ｂに設ける。カード押えばね７は、金属板からなる板ばねであり、一端がカード保持部３ｂのカード挿入側端２３側に固定される基端部７１であり、他端がＬ字状に折曲されて自由端７２を形成する。そして、カード押えばね７の自由端７２はカード保持部３ａ側へ突出して設けてあり、カード挿入側端２３側からメモリーカードＭＣが挿入されると、メモリーカードＭＣの押圧側側面ＭＣ５により付勢力に抗してカード保持部３ｂ側へ押されることで、メモリーカードＭＣをカード保持部３ａ側へ押圧可能である。カード押えばね７は、メモリーカードＭＣを実質的に押圧する自由端７２側がカード保持部３ａに設けたハーフロック機構６の係止突起６２と対向する位置に設けるのが望ましく、このように設けることで、メモリーカードＭＣが脱抜される際に飛出しを防止するハーフロック機構６側へ効率よく押圧することができるが、本実施例のように稍ハーフロック機構６の係止突起６２からずれた位置にあっても差し支えない。しかしながら、例えばカード押えばね７の自由端がカード保持部３ｂの最もカード挿入側端２３に位置していたり、或は、ハウジング２の最も奥側（コンタクト４側）に位置していた場合には、カード押えばね７の押圧力がメモリーカードＭＣの角部を押圧することとなり、ハウジング２内に挿入された状態でメモリーカードＭＣを斜めに位置させてしまう虞があるので好ましくない。
この実施例では、カード押えばね７は片持ち状の板ばねを用いたが、挿入されるメモリーカードＭＣをカード保持部３ａ側へ押圧する所望の力が得られるように両端を支持した両持ちばねやコイルスプリングの先端に両端を折曲させた板状体を取付けカード保持部３ｂから突出させた押圧手段等適宜選択すればよい。
【００２５】
このように構成するメモリーカード用コネクタ１の作用を以下に説明する。
メモリーカード用コネクタ１の挿入側端２３からメモリーカードＭＣを挿入する。この時、メモリーカードＭＣはコンタクト部ＭＣ２側から挿入する。挿入されたメモリーカードＭＣは、カード保持部３ｂに取付けてあるカード押えばね７をカード保持部３ｂ側へ押しながらハウジング２内へ挿入されて行き、やがてハーフロック機構６の係止突起６２がメモリーカードＭＣの溝部ＭＣ３に位置すると、係止突起６２が溝部ＭＣ３へ入り込みハーフロック状態となる。しかしながら、更にメモリーカードＭＣを挿入すべく押圧することで係止突起６２が溝部ＭＣ３から外れてこのハーフロック状態は解除され、メモリーカードＭＣは更に奥へ挿入され、やがてメモリーカードＭＣのコンタクト部ＭＣ２がコンタクト４をハウジング表面２１側へ押圧して停止し、所定の挿入位置でメモリーカードＭＣのコンタクト部ＭＣ２とコンタクト４とが電気的に接続される。
【００２６】
メモリーカードＭＣとメモリーカード用コネクタ１とが電気的に接続された状態から、メモリーカードＭＣをメモリーカード用コネクタ１から抜くには、イジェクト機構５の操作部（図示せず）をメモリーカードＭＣを抜取るように操作する。すると、イジェクト機構５によってメモリーカードＭＣの挿入側側面ＭＣ６をカード挿入側端２３側へ押圧し、コンタクト４とコンタクト部ＭＣ２との係止を解除すると共に、メモリーカードＭＣをカード挿入側端２３側へ飛び出させる。
これによりメモリーカードＭＣは、カード挿入側端２３側へ飛び出すように移動するが、カード押えばね７の横方向への押圧により、メモリーカードＭＣの溝部ＭＣ３がハーフロック機構６の係止突起６２に位置した際に係止突起６２が溝部ＭＣ３へ入り込みハーフロック状態でメモリーカードＭＣは停止する。
【００２７】
この状態ではメモリーカードＭＣは、メモリーカード用コネクタ１との電気的な接続は解除されたものの、未だメモリーカード用コネクタ１内にあるので、メモリーカードＭＣを抜取るために利用者がメモリーカードＭＣを抜取るように引く。
すると、メモリーカードＭＣの溝部ＭＣ３に入り込んでいた係止突起６２は、溝部ＭＣ３との係止を解除するように背面側（カード保持部３ａ側）のハーフロックばね６３の押圧に抗してハーフロックばね６３をメモリーカードＭＣとは反対の方向へ押し、溝部ＭＣ３との係止を解除する。
メモリーカードＭＣの溝部ＭＣ３とハーフロック機構６の係止突起６２との係止が解除されたことで、メモリーカードＭＣはメモリーカード用コネクタ１から抜取られる。
【産業上の利用可能性】
【００２８】
この発明は、メモリーカード用コネクタに利用可能であり、メモリーカードの種類も、種々のものに対応可能である。
【図面の簡単な説明】
【００２９】
【図１】この発明の実施例を表す斜視説明図
【図２】同説明図で（ａ）は平面説明図、（ｂ）は正面説明図、（ｃ）は背面説明図、（ｄ）は左側面説明図、（ｅ）は右側面説明図
【図３】Ａ−Ａ線断面説明図
【図４】Ｂ−Ｂ線断面説明図
【図５】Ｃ−Ｃ線断面説明図
【図６】メモリーカードを表す斜視説明図
【図７】従来例を表す斜視説明図
【図８】図７の一部拡大説明図
【図９】従来例を表す説明図であり（ａ）は平面説明図、（ｂ）は正面説明図、（ｃ）は右側面説明図
【符号の説明】
【００３０】
ＭＣ  メモリーカード
ＭＣ１  カード表面
ＭＣ２  コンタクト部
ＭＣ３  溝部
ＭＣ４  ハーフロック側側面
ＭＣ５  押圧側側面
ＭＣ６  挿入側側面
１  メモリーカード用コネクタ
２  ハウジング
２１    ハウジング表面
２２    ハウジング裏面
２３    カード挿入口
２４    コンタクト固定部
３  カード保持部
３ａ    カード保持部
３ｂ    カード保持部
３１    保持溝
４  コンタクト
４１    基端部
４２    接点部
５  イジェクト機構
６  ハーフロック機構
６１    係止片
６２    係止突起
６３    ハーフロックばね
６４    スリット
７  カード押えばね
７１    基端部
７２    自由端
【図１】
2007141470.tif 000003
【図２】
2007141470.tif 000004
【図３】
2007141470.tif 000005
【図４】
2007141470.tif 000006
【図５】
2007141470.tif 000007
【図６】
2007141470.tif 000008
【図７】
2007141470.tif 000009
【図８】
2007141470.tif 000010
【図９】
2007141470.tif 000011